(57)【要約】【課題】内燃機関の排気浄化装置において、吸着剤による効果をより高めることができる技術を提供する。【解決手段】基材３１に、排気を浄化する排気浄化触媒３２と、排気中の所定成分が吸着して発熱することにより温度が上昇する吸着剤３３と、を担持する。吸着剤３３で所定成分を吸着したときに発生する熱で、触媒３２の温度を速やかに上昇させる。【選択図】図２
2009274003.tif 000002
【特許請求の範囲】
【請求項１】
基材に、排気を浄化する排気浄化触媒と、排気中の所定成分が吸着して発熱することにより温度が上昇する吸着剤と、を担持することを特徴とする内燃機関の排気浄化装置。
【請求項２】
排気の流れの上流側よりも下流側のほうが前記吸着剤の担持量が多いことを特徴とする請求項１に記載の内燃機関の排気浄化装置。
【請求項３】
排気の流れの下流側よりも上流側のほうが前記吸着剤の担持量が多いことを特徴とする請求項１に記載の内燃機関の排気浄化装置。
【請求項４】
前記吸着剤はアルミノシリケートを含んで構成され、排気の流れの下流側よりも上流側のほうがＳｉ／Ａｌ比が大きいことを特徴とする請求項１から３の何れか１項に記載の内燃機関の排気浄化装置。
【請求項５】
前記排気浄化触媒は吸蔵還元型ＮＯx触媒であり、
前記吸着剤は上限温度までは前記所定成分が吸着し該上限温度に達した後は該所定成分が脱離する性質を有し、
前記吸着剤から所定成分が脱離する温度が、前記排気浄化触媒の活性温度の下限値近傍であることを特徴とする請求項１から４の何れか１項に記載の内燃機関の排気浄化装置。
【請求項６】
前記排気浄化触媒は吸蔵還元型ＮＯx触媒であり、
前記吸着剤上に前記吸蔵還元型ＮＯx触媒の一部である吸蔵剤を担持しないことを特徴
とする請求項１から５の何れか１項に記載の内燃機関の排気浄化装置。
【請求項７】
前記吸着剤は上限温度までは前記所定成分が吸着し該上限温度に達した後は該所定成分が脱離する性質を有し、
前記吸着剤から所定成分が脱離する温度を、排気浄化装置が過熱する温度以下とすることを特徴とする請求項１から４の何れか１項に記載の内燃機関の排気浄化装置。
【請求項８】
前記排気浄化触媒および吸着剤は選択還元型ＮＯx触媒を含んで構成され、
前記吸着剤は上限温度までは前記所定成分が吸着し該上限温度に達した後は該所定成分が脱離する性質を有し、
前記吸着剤から所定成分が脱離する温度を所定温度とすることを特徴とする請求項１から４の何れか１項に記載の内燃機関の排気浄化装置。
【請求項９】
前記排気浄化触媒は吸蔵還元型ＮＯx触媒であり、
前記吸蔵還元型ＮＯx触媒よりも上層に前記吸着剤を担持することを特徴とする請求項
１から４の何れか１項に記載の内燃機関の排気浄化装置。
【請求項１０】
前記排気浄化触媒は吸蔵還元型ＮＯx触媒であり、
前記吸蔵還元型ＮＯx触媒よりも下層に前記吸着剤を担持することを特徴とする請求項
１から４の何れか１項に記載の内燃機関の排気浄化装置。
【請求項１１】
前記排気浄化触媒に含まれる貴金属成分を、前記吸着剤の外表面に担持することを特徴とする請求項１から４の何れか１項に記載の内燃機関の排気浄化装置。
【請求項１２】
前記吸着剤を排気浄化装置の中心軸側よりも外周側に多く担持することを特徴とする請求項１から４の何れか１項に記載の内燃機関の排気浄化装置。
【請求項１３】
前記基材の少なくとも一部に吸着剤を含むことを特徴とする請求項１から４の何れか１項に記載の内燃機関の排気浄化装置。
【発明の詳細な説明】
【技術分野】
【０００１】
本発明は、内燃機関の排気浄化装置に関する。
【背景技術】
【０００２】
排気中に含まれる水を吸着する吸着剤を酸化触媒よりも上流側に備え、該吸着剤に水が吸着されるときの発熱により酸化触媒の温度を上昇させる技術が知られている（例えば、特許文献１参照。）。
【特許文献１】特開２００２−１３８８２４号公報
【特許文献２】特開平５−３１３５９号公報
【発明の開示】
【発明が解決しようとする課題】
【０００３】
ところで、吸着剤と触媒との相対的な位置関係や、触媒の種類を考慮して夫々の配置を決定すれば、吸着剤の効果をより高めることができる。しかし、従来技術ではこれらについて一部しか言及されていない。
【０００４】
本発明は、上記したような問題点に鑑みてなされたものであり、内燃機関の排気浄化装置において、吸着剤による効果をより高めることができる技術を提供することを目的とする。
【課題を解決するための手段】
【０００５】
上記課題を達成するために本発明による内燃機関の排気浄化装置は、以下の手段を採用した。すなわち、本発明による内燃機関の排気浄化装置は、
基材に、排気を浄化する排気浄化触媒と、排気中の所定成分が吸着して発熱することにより温度が上昇する吸着剤と、を担持することを特徴とする。
【０００６】
排気浄化触媒は、ある程度温度が高くならないと排気中の有害物質を浄化することができない。例えば内燃機関の始動時または始動直後では、排気浄化触媒の温度が低い。ここで、吸着剤に所定成分が吸着されると発熱するので、排気に熱を与える。これにより、排気の温度が上昇するので、該排気が排気浄化触媒を通過することにより該排気浄化触媒の温度が上昇する。
【０００７】
吸着剤に吸着される所定成分は、内燃機関からの排気に元々含まれていた成分であっても良く、外部から排気中に供給した成分であってもよい。なお、以下において「排気中に含まれる成分」といった場合には、内燃機関からの排気に元々含まれていた成分と、外部から排気中に供給した成分と、の両方を含むものとする。吸着剤は、排気中に含まれる成分を吸着するものであれば良く、例えばゼオライトを挙げることができる。所定成分には、例えば水、ＨＣ等を挙げることができる。
【０００８】
この吸着剤と排気浄化触媒とを基材に担持することにより、吸着剤に所定成分が吸着されるときの発熱で、該排気浄化触媒の温度を上昇させることができる。また、吸着剤からの熱が排気浄化触媒へすぐに伝わるため、排気と共に流れたり外部へ放出されたりする熱を少なくすることができる。すなわち、排気浄化触媒と接している吸着剤から熱が供給されるため、該排気浄化触媒の温度を速やかに上昇させることができる。
【０００９】
本発明においては、排気の流れの上流側よりも下流側のほうが前記吸着剤の担持量が多くても良い。
【００１０】
ここで、排気の温度により排気浄化触媒の温度が上昇されるが、この温度の上昇は、該触媒の上流側から始まる。その後、徐々に下流側の温度が上昇していく。つまり、下流側の温度はすぐには上昇しない。これに対し、上流側の吸着剤の担持量をより少なくすることにより、該上流側で所定成分が吸着されるのが抑制されるため、より多くの所定成分を下流側へ到達させることができる。そして、下流側により多くの吸着剤を担持することにより、該下流側でより多くの熱が発生することになるため、下流側の温度を速やかに上昇させることができる。このように、昇温が緩慢となり得る触媒の下流側を積極的に昇温させることができる。そのため、排気浄化触媒の全体の温度を速やかに上昇させることができる。
【００１１】
なお、上流側から下流側へ向かって担持量を徐々に多くしても良く、段階的に多くしても良い。また、下流側のみに吸着剤を担持しても良い。
【００１２】
本発明においては、排気の流れの下流側よりも上流側のほうが前記吸着剤の担持量が多くても良い。
【００１３】
このようにすることで、排気浄化触媒の上流側の温度を速やかに活性温度の下限値まで上昇させることができる。これにより、排気中に含まれるＨＣ等の還元剤が排気浄化触媒の上流側で酸化されるため、該上流側の温度がより上昇すると共に、下流側へ多くの熱を供給することができる。その結果、下流側の温度を上昇させることもできる。このようにして、排気浄化触媒の全体の温度を速やかに上昇させることができる。
【００１４】
なお、上流側から下流側へ向かって担持量を徐々に少なくしても良く、段階的に少なくしても良い。また、上流側のみに吸着剤を担持しても良い。
【００１５】
本発明においては、前記吸着剤はアルミノシリケートを含んで構成され、排気の流れの下流側よりも上流側のほうがＳｉ／Ａｌ比が大きくても良い。
【００１６】
ここで、Ｓｉ／Ａｌ比が５以下のゼオライト等では、酸強度がＳｉ／Ａｌ比に依存することが知られており、Ｓｉ／Ａｌ比が小さくなるほど、酸強度が小さくなる。すなわち、所定成分の吸着点が多いほど、所定成分の保持力が小さくなる。これは、所定成分の吸着点が多いほど、所定成分を吸着するときに発生する熱が小さくなったり、所定成分を保持可能な上限温度が低くなったりすることを意味する。
【００１７】
つまり、排気の流れの下流側よりも上流側のＳｉ／Ａｌ比を大きくすると、排気中の所定成分の量が少ない場合であっても、上流側での発熱量を多くすることができ、さらに、上流側で所定成分が脱離し易くなるため、下流側へも所定成分を供給することができる。そして、下流側では、所定成分を多量に吸着することができるため、多くの熱が発生して排気浄化触媒を昇温させることができる。
【００１８】
本発明においては、前記排気浄化触媒は吸蔵還元型ＮＯx触媒であり、
前記吸着剤は上限温度までは前記所定成分が吸着し該上限温度に達した後は該所定成分が脱離する性質を有し、
前記吸着剤から所定成分が脱離する温度が、前記排気浄化触媒の活性温度の下限値近傍であっても良い。
【００１９】
ここで、吸着剤は触媒とは異なり、吸着による温度上昇には上限がある。この上限温度までは所定成分を吸着することにより発熱するが、上限温度を過ぎると吸着していた所定成分が脱離することにより吸熱する。つまり、この上限温度を過ぎると、吸着剤の温度が
下降する。
【００２０】
また、吸着剤に吸着可能な所定成分の量には限りがある。つまり、排気浄化触媒の温度を上昇させようとしても、吸着剤に多くの所定低分が吸着されている状態では、熱が発生しないために排気浄化触媒の温度を上昇させることが困難となる。これに対し、吸着剤からの熱の供給が必要のないときに、該吸着剤から所定成分を脱離させておけば、次回に排気浄化触媒の温度上昇が必要なときに所定成分を吸着させることが可能となる。また、別途吸着剤から所定成分を脱離させる必要がなくなる。
【００２１】
そして、吸着剤から脱離した所定成分（例えばＨ２Ｏ）が排気中のＨＣと反応することにより、ＣＯを生成することができる。このＣＯはＨＣよりも、吸蔵還元型ＮＯx触媒に
てＮＯxを還元させる力が強い。つまり、ＨＣを還元剤として使用するよりもＣＯを還元
剤として使用したほうが、ＮＯxの還元が速やかに行われる。これにより、吸蔵還元型Ｎ
Ｏx触媒に吸蔵されているＮＯxを還元するときに、より少ないＨＣの供給によりＮＯxを
還元することができる。
【００２２】
そして、吸着剤から所定成分が脱離する温度を、排気浄化触媒の活性温度の下限値近傍とすることにより、吸着剤から所定成分が脱離してもＮＯxを還元させることができる。
また、活性温度に達していれば、排気中に含まれる成分が排気浄化触媒で酸化されるため、吸着剤による温度上昇も必要ない。
【００２３】
本発明においては、前記排気浄化触媒は吸蔵還元型ＮＯx触媒であり、
前記吸着剤上に前記吸蔵還元型ＮＯx触媒の一部である吸蔵剤を担持しないことができ
る。
【００２４】
「吸着剤上」とは、基材から層を成して吸着剤と吸蔵還元型ＮＯx触媒とが担持されて
いるときに、吸着剤よりも上層ということである。つまり、「吸着剤上」とは、吸着剤の排気に臨む側であり、基材側とは逆になる。吸蔵還元型ＮＯx触媒は、アルミナ（担体）
、貴金属（例えばＰｔ）および吸蔵剤を含んで構成される。吸蔵剤には、例えばアルカリ金属、アルカリ土類金属、希土類金属を挙げることができる。そして、「吸着剤上に吸蔵還元型ＮＯx触媒の一部である吸蔵剤を担持しない」とは、吸蔵剤を吸着剤上ではなくア
ルミナ等の担体上に担持させることを意味する。ここで、吸着剤上に吸蔵剤を担持させると、吸着剤の細孔が吸蔵剤で閉塞されることにより所定成分の吸着が妨げられるため、発熱量が少なくなってしまう。これに対し、吸着剤上に吸蔵剤を担持しなければ、吸着剤により多くの所定成分を吸着させることができるため、発熱量をより多くすることができる。なお、アルミナの大きさは、吸着剤の細孔径と比較して十分に大きいため、該アルミナが吸着剤上に存在していても該吸着剤の細孔を閉塞させることは殆どない。
【００２５】
本発明においては、前記吸着剤は上限温度までは前記所定成分が吸着し該上限温度に達した後は該所定成分が脱離する性質を有し、
前記吸着剤から所定成分が脱離する温度を、排気浄化装置が過熱する温度以下とすることができる。
【００２６】
例えば排気浄化装置にパティキュレートフィルタが含まれる場合、パティキュレートフィルタに捕集されている粒子状物質（ＰＭ）が酸化することにより、温度が急激に上昇することがある。ここで、排気浄化触媒は過熱することにより劣化が進行し、排気の浄化能力が低下する。また、パティキュレートフィルタが粒子状物質を捕集する能力も過熱により低下し得る。つまり、「排気浄化装置が過熱する」ということには、排気浄化触媒またはパティキュレートフィルタの劣化を含んでいる。
【００２７】
一方、吸着剤では、所定成分を保持できる上限温度を超えると、吸着されていた所定成分が脱離することにより、吸熱する。これにより排気浄化装置の温度が低下する。つまり、排気浄化装置において過熱する温度となったときに、吸着剤から所定成分を脱離させることにより、該排気浄化装置の温度を低下させることができるため、排気浄化装置が過熱しないようにすることができる。また、このときには排気浄化触媒の温度が十分に高いため、吸着剤に所定成分を吸着させる必要もない。
【００２８】
なお、排気浄化触媒が過熱する温度に変えて、排気浄化触媒の浄化ウィンドーの上限値としても良く、吸蔵還元型ＮＯx触媒においてＮＯxの吸蔵及び還元が可能な温度の上限値としても良い。このようにすることで、排気浄化触媒の温度を排気の浄化可能な範囲に維持することができる。
【００２９】
本発明においては、前記排気浄化触媒および吸着剤は選択還元型ＮＯx触媒を含んで構
成され、
前記吸着剤は上限温度までは前記所定成分が吸着し該上限温度に達した後は該所定成分が脱離する性質を有し、
前記吸着剤から所定成分が脱離する温度を所定温度とすることができる。
【００３０】
吸着剤は選択還元型ＮＯx触媒としても働き得る。そのため、吸着剤から所定成分が脱
離すると、その分、ＮＯxの吸着点を確保することができる。つまり、選択還元型ＮＯx触媒としてＮＯxを吸着できるようになるので、より多くのＮＯxを浄化することができる。吸着剤は、上限温度までは所定成分を吸着することが可能であるが、この温度を超えると所定成分が脱離する。すなわち、吸着剤の温度が上限温度を超えると、ＮＯxを吸着可能
となる。ここで、所定温度とは、選択還元型ＮＯx触媒においてＮＯxを吸着可能とする温度である。この所定温度を低く設定すると、早い段階からＮＯxの吸着点を確保すること
ができるが、該選択還元型ＮＯx触媒の温度が低いとＮＯxは還元されない。そのため、選択還元型ＮＯx触媒の温度上昇と、ＮＯxの吸着点の確保と、のバランスをとりながら所定温度を設定しても良い。つまり、所定成分を吸着することにより、選択還元型ＮＯx触媒
の温度をＮＯxの還元が可能な温度まで速やかに上昇させることができる。そして、その
後にＮＯxを吸着することにより該ＮＯxを選択的に還元させることが可能となる。
【００３１】
本発明においては、前記排気浄化触媒は吸蔵還元型ＮＯx触媒であり、
前記吸蔵還元型ＮＯx触媒よりも上層に前記吸着剤を担持することができる。
【００３２】
つまり、吸着剤と排気とがより接触し易くなるため、より多くの所定成分を吸着させることができる。これにより、速やかに発熱させることができる。
【００３３】
本発明においては、前記排気浄化触媒は吸蔵還元型ＮＯx触媒であり、
前記吸蔵還元型ＮＯx触媒よりも下層に前記吸着剤を担持することができる。
【００３４】
吸着剤にＨＣが吸着される場合には、吸蔵還元型ＮＯx触媒に吸蔵されているＮＯxの還元を妨げることになる。これに対し、吸着剤にＨＣが吸着され難くなるように吸蔵還元型ＮＯx触媒よりも基材側へ吸着剤を配置することで、ＨＣが吸着されることを抑制できる
。これにより、吸蔵還元型ＮＯx触媒に吸蔵されているＮＯxを速やかに還元させることができる。
【００３５】
本発明においては、前記排気浄化触媒に含まれる貴金属成分を、前記吸着剤の外表面に担持することができる。
【００３６】
このようにすることで、吸着剤に所定成分が吸着した際に発生する熱を速やかに貴金属
成分に伝えることができる。これにより、速やかに貴金属成分を活性化させることができる。なお、外表面には、吸着剤の細孔内の表面は含まない。つまり、細孔内には貴金属成分を担持させない。
【００３７】
本発明においては、前記吸着剤を排気浄化装置の中心軸側よりも外周側に多く担持することができる。
【００３８】
つまり、基材の中心軸側では、吸着剤の担持量が少なくなる。このようにすることで、基材の中心軸側では、排気中の成分が吸着されることが抑制されるため、該成分を排気浄化触媒へ供給することができる。つまり、排気の浄化性能の低下を抑制できる。一方、基材の外周側では所定成分の吸着により熱が発生する。この熱は、基材の中心軸側へ伝わるため、排気浄化触媒の温度を上昇させることができる。
【００３９】
本発明においては、前記基材の少なくとも一部に吸着剤を含むことができる。
【００４０】
つまり、基材が吸着剤の機能を有することにより、該基材から排気浄化触媒へ熱が供給されるので、該排気浄化触媒の温度を上昇させることができる。
【発明の効果】
【００４１】
本発明に係る内燃機関の排気浄化装置は、吸着剤による効果をより高めることができる。
【発明を実施するための最良の形態】
【００４２】
以下、本発明に係る内燃機関の排気浄化装置の具体的な実施態様について図面に基づいて説明する。
【実施例１】
【００４３】
図１は、本実施例に係る内燃機関の排気浄化装置を適用する内燃機関とその排気系の概略構成を示す図である。図１に示す内燃機関１は、４つの気筒を有する水冷式の４サイクル・ディーゼルエンジンである。
【００４４】
内燃機関１には、排気通路２が接続されている。この排気通路２の途中には、排気浄化装置３が備えられている。
【００４５】
図２は、本実施例に係る排気浄化装置３の一部を簡略化して示した図である。
【００４６】
排気浄化装置３は、骨格となる基材３１と、該基材３１に担持される触媒３２及び吸着剤３３と、を含んで構成されている。
【００４７】
触媒３２には、例えば酸化触媒、三元触媒、吸蔵還元型ＮＯx触媒、選択還元型ＮＯx触媒等を用いることができる。例えば吸蔵還元型ＮＯx触媒は、温度が浄化ウィンドーの範
囲内にあるときであって、流入する排気の酸素濃度が高いときは排気中のＮＯxを吸蔵し
、流入する排気の酸素濃度が低く且つ還元剤が存在するときは吸蔵していたＮＯxを還元
する機能を有する。なお、本実施例においては触媒３２が、本発明における排気浄化触媒に相当する。
【００４８】
吸着剤３３は、排気中に含まれる水を吸着する機能を有し、例えばＮａ／Ｙ型ゼオライト、またはＫ／Ａ型ゼオライトを用いることができる。なお、本実施例における吸着剤３３では水を吸着するが、排気中に含まれる他の成分（排気中に供給される成分を含む）を吸着する性質のものであっても良い。そして、本実施例においては水が、本発明における
所定成分に相当する。
【００４９】
ここで、水の凝縮熱（４４ｋＪ／ｍｏｌ）と比較して、アルミノシリケートの水の吸着熱は５５ｋＪ・ｍｏｌ−１(β，Ｘ，Ｙ型ゼオライト)から６５ｋＪ・ｍｏｌ−１(Ａ型ゼ
オライト)と大きいため、水の沸点を超える温度まで水を吸着させておくことができる。
そのため、触媒３２の温度を１００℃以上まで昇温させることができる。一方、触媒に使用される基材３１（例えばモノリス基材）の熱容量は、一般的に１ｋＪ・ｋｇ−１・Ｋ−１（コージェライト：２ＭｇＯ・２Ａｌ２Ｏ３・５ＳｉＯ２）、１．５ｋＪ・ｋｇ−１・Ｋ−１（ステンレス鋼担体：Ｃｒ２０％、Ａｌ１５％）である。例えば、排気等による触媒３２の下流への持ち去り熱量等を考慮しなければ、吸着剤３３に水が１８ｇ（１ｍｏｌ）吸着すると、１ｋｇの触媒を６５℃程度昇温可能となる。
【００５０】
そして本実施例では、図２に示すように、触媒３２と吸着剤３３とが基材３１上に混在している。なお、基材３１は細孔を有していても良く、図２は細孔内部としても良い。
【００５１】
本実施例では、内燃機関１の始動時等において、たとえば触媒３２の温度を速やかに上昇させるための触媒昇温制御を実行する。ここで、排気中には水が含まれるため、該水が吸着剤３３に吸着される。このときに、発熱反応が起こる。この熱が触媒３２へ伝わるため、該触媒３２の温度を上昇させることができる。例えば、内燃機関１からより多くの水が排出されるように、該内燃機関１の燃料噴射量を増加させることにより触媒昇温制御が実行される。
【００５２】
触媒３２の温度が活性温度の下限値まで上昇すると、該触媒３２で酸化反応が可能となる。例えばＣＯやＨ２を供給すると、これらは触媒３２にて酸化されるが、このときに発熱するため、該触媒３２の温度が上昇される。そして、触媒３２の温度が浄化ウィンドー内に入るまでＣＯやＨ２の供給を続ければ、排気の浄化をより早く行なうことが可能となる。
【００５３】
なお、ＣＯ等の触媒３２で反応させる成分は、内燃機関１の負荷を調節することにより、該内燃機関１から排出させることができる。また、触媒３２へ供給する成分を以下「還元剤」という。この還元剤は、外部から排気中へ直接供給しても良い。還元剤にはＨＣを用いることもできる。
【００５４】
ところで、吸着剤３３は水を吸着することにより発熱するが、吸着可能な最大量は、温度が上昇するに従い少なくなる。吸着剤３３の温度が上昇するに従って、最大吸着量は減少していき、ある温度に達すると０となる。すなわち、吸着剤３３の温度がある温度に達すると、水を吸着することができなくなるため、該吸着剤３３の温度は水の吸着によっては上昇しなくなる。しかも、その後に吸着剤３３から水が離脱し始めるため、該吸着剤３３の温度が下降する。つまり、吸着剤３３における水の吸着により上昇される温度には上限がある。このような温度を以下、「上限温度」と称する。
【００５５】
内燃機関１の始動直後では、吸着剤３３及び触媒３２の温度は外気温度と等しくなっている。そして、吸着剤３３を排気が通過するに従って、排気中に含まれる水が吸着剤３３に吸着されることにより、該吸着剤３３の温度が上昇する。これにより、触媒３２の温度も上昇する。
【００５６】
そして、吸着剤３３が上限温度に達すると、吸着剤３３から水の脱離が始まるため、このときの吸熱により吸着剤３３の温度が低下する。しかし、吸着剤３３からの水の脱離が完了し、さらに吸着剤３３に流入する排気の温度が上昇すると、これにより吸着剤３３の温度も再び上昇を始める。
【００５７】
ここで、本実施例では、基材３１上に触媒３２及び吸着剤３３が混在している。このようにすることで、吸着剤３３から触媒３２へ速やかに熱を供給することができるので、内燃機関１の冷間始動時等において、該触媒３２の温度を速やかに活性温度の下限値まで上昇させることができる。そうすると、排気の浄化が早期から可能となる。
【実施例２】
【００５８】
図３は、本実施例に係る排気浄化装置３の一部を簡略化して示した図である。図３（Ａ）は排気浄化装置３の上流側（すなわち内燃機関１側）を示し、図３（Ｂ）は図３（Ａ）よりも下流側を示している。
【００５９】
本実施例では、排気浄化装置３の上流側よりも下流側により多くの吸着剤３３を担持している。これは、下流側のほうが吸着剤３３の比率が高いとしても良い。例えば触媒３２と吸着剤３３との比率が異なる２種類のスラリーを用意し、基材３１の下流側を吸着剤３３の比率が高いほうのスラリーに浸し、上流側を他方のスラリーに浸して排気浄化装置３を製造する。
【００６０】
そして、排気浄化装置３の上流側から下流側へ向かって徐々に（無段階に）吸着剤３３の量を多くしても良く、段階的に多くしても良い。さらに、排気浄化装置３を２つに分けて、上流側よりも下流側のほうの吸着剤３３の量をより多くしても良い。この２つに分けた排気浄化装置３は、接していても、離れていても良い。それ以外は前記実施例と同じため説明を省略する。
【００６１】
ここで、内燃機関１が始動されて排気が流通すると、まず排気浄化装置３の上流側のほうから温度が上昇する。そして、排気浄化装置３の上流側の温度を上昇させた排気自体は温度が低下するため、該排気浄化装置３の下流側にはより温度の低い排気が流れる。そのため、排気浄化装置３の下流側の温度上昇は上流側よりも緩慢となる。
【００６２】
これに対し本実施例に係る排気浄化装置３では、上流側における吸着剤３３の担持量が少ないために、該上流側における水の吸着量が少ない。そのため上流側では、水の吸着時に発生する熱による温度上昇はあまりないが、排気の熱により温度が上昇される。
【００６３】
そして、上流側での水の吸着量が少ないことにより、下流側へより多くの水を供給することができる。つまり下流側では、排気の熱による温度上昇はあまりないが、多くの水を吸着することができるため、このときに発生する熱により温度が上昇する。このようにして、排気浄化装置３の上流側と下流側とで温度上昇するため、排気浄化装置３全体の温度を上昇させることができる。これにより、触媒３２の温度を全体的に速やかに上昇させることができるので、早期に排気の浄化が可能となる。
【実施例３】
【００６４】
図４は、本実施例に係る排気浄化装置３の一部を簡略化して示した図である。図４（Ａ）は排気浄化装置３の上流側（すなわち内燃機関１側）を示し、図４（Ｂ）は図４（Ａ）よりも下流側を示している。
【００６５】
本実施例では、実施例２とは逆に、排気浄化装置３の下流側よりも上流側により多くの吸着剤３３を担持している。これは、上流側のほうが吸着剤３３の比率が高いとしても良い。例えば触媒３２と吸着剤３３との比率が異なる２種類のスラリーを用意し、基材３１の上流側を吸着剤３３の比率が高いほうのスラリーに浸し、下流側を他方のスラリーに浸して排気浄化装置３を製造する。
【００６６】
そして、排気浄化装置３の上流側から下流側へ向かって徐々に（無段階に）吸着剤３３の量を少なくしても良く、段階的に少なくしても良い。さらに、排気浄化装置３を２つに分けて、上流側よりも下流側のほうの吸着剤３３の量をより少なくしても良い。この２つに分けた排気浄化装置３は、接していても、離れていても良い。それ以外は前記実施例と同じため説明を省略する。
【００６７】
ここで、排気浄化装置３の上流側では、排気の熱により温度が速やかに上昇する。そして、この上流側へより多くの吸着剤３３を担持させることにより、上流側の温度はさらに早く上昇することになる。そのため、すぐに活性温度の下限値まで上昇することができる。そうすると、排気中に含まれるＨＣやＣＯといった成分が触媒３２で反応するため、更に上流側の温度が上昇する。そして、上流側で温度上昇した排気は、下流へと流れて下流側の温度も上昇させる。
【００６８】
つまり、上流側の温度を速やかに上昇させることにより、下流側の温度も早期に温度上昇させることができる。このようにして、排気浄化装置３の上流側と下流側とで温度が上昇するため、排気浄化装置３全体の温度を上昇させることができる。これにより、触媒３２の温度を全体的に速やかに上昇させることができるので、早期に排気の浄化が可能となる。なお、ＨＣはポスト噴射や排気中への燃料添加により供給することができる。
【実施例４】
【００６９】
図５は、本実施例に係る内燃機関の排気浄化装置を適用する内燃機関とその排気系の概略構成を示す図である。
【００７０】
本実施例では、排気浄化装置３の下流側よりも上流側の吸着剤３３のＳｉ／Ａｌ比を大きくしている。この場合、排気浄化装置３の上流側から下流側へ向かって徐々に（無段階に）Ｓｉ／Ａｌ比を小さくしても良く、段階的に小さくしても良い。さらに、排気浄化装置３を２つに分けて、上流側よりも下流側のほうの吸着剤３３のＳｉ／Ａｌ比をより小さくしても良い。この２つに分けた排気浄化装置３は、接していても、離れていても良い。例えばＳｉ／Ａｌ比が異なる２種類のスラリーを用意し、基材３１の上流側をＳｉ／Ａｌ比が大きいほうのスラリーに浸し、下流側を他方のスラリーに浸して排気浄化装置３を製造する。
【００７１】
そして、本実施例では、吸着剤３３にＳｉ／Ａｌ比が５以下のゼオライトを採用している。Ｓｉ／Ａｌ比が５以下のゼオライトでは、Ｓｉ／Ａｌ比が小さくなるほど酸強度が小さくなる。つまり、水の吸着点が多いほど、水の保持力が小さくなる。そして、水の吸着点が多いほど、発熱が小さくなり、且つ水を保持可能な温度が低くなる。それ以外は前記実施例と同じため説明を省略する。
【００７２】
つまり、上流側の吸着剤３３のＳｉ／Ａｌ比を大きくすることにより、少ない水でもより大きな発熱が可能となる。また、上流側では水が脱離し易くなるため、早期に水の脱離が始まる。このようにして脱離した水は、下流側の吸着剤３３に吸着される。つまり、早期から下流側へ水を供給することができる。そして、下流側では、吸着剤３３のＳｉ／Ａｌ比が小さいために、より多くの水を吸着することができるので、発熱量がより多くなる。つまり、下流側で速やかに温度が上昇される。このようにして、排気浄化装置３の全体の温度を速やかに上昇させることができる。
【実施例５】
【００７３】
図６は、本実施例に係る排気浄化装置３の一部を簡略化して示した図である。図６（Ａ）は水の吸着時を示し、図６（Ｂ）は水の脱離時を示している。本実施例では、触媒３２に吸蔵還元型ＮＯx触媒を採用している。本実施例による触媒３２は、アルミナ３２１、
貴金属３２２、および吸蔵剤３２３を含んで構成されている。貴金属３２２には、例えば白金（Ｐｔ）を採用することができる。また、吸蔵剤３２３には、例えばバリウム（Ｂａ）等のアルカリ土類金属、アルカリ金属、または希土類金属を採用することができる。
【００７４】
ここで、吸着剤３３は触媒３２とは異なり、吸着による温度上昇には上限がある。この上限温度までは水を吸着することにより発熱するが、上限温度を過ぎると吸着していた水が脱離することにより吸熱する。
【００７５】
そして、吸着剤３３から脱離した水が貴金属３２２で排気中のＨＣと反応することにより、ＣＯを生成することができる。このＣＯはＨＣよりも、吸蔵還元型ＮＯx触媒にてＮ
Ｏxを還元させる力が強い。つまり、ＨＣを還元剤として使用するよりもＣＯを還元剤と
して使用したほうが、ＮＯxの還元が速やかに行われる。これにより、吸蔵還元型ＮＯx触媒に吸蔵されているＮＯxを還元するときに、より少ないＨＣの供給によりＮＯxを還元することができる。
【００７６】
そして、吸着剤３３から水が脱離する温度が、触媒３２の活性温度の下限値近傍とすることにより、該活性温度の下限値まで速やかに触媒３２の温度を上昇させることができる。また、活性温度に達していれば、排気中に含まれる成分が触媒３２で酸化されるため、吸着剤３３による温度上昇も必要ない。
【００７７】
ところで、吸着剤３３に吸着可能な水の量には限りがある。つまり、触媒３２の温度を上昇させようとしても、吸着剤３３に多くの水が吸着されている状態では、熱が発生しないために触媒３２の温度を上昇させることが困難となる。これに対し、吸着剤３３からの熱の供給が必要のないときに、該吸着剤３３から水を脱離させておけば、次回に触媒３２の温度上昇が必要なときに水を吸着させることが可能となる。また、別途吸着剤３３から水を脱離させる必要がなくなる。なお、吸着剤３３が水を保持可能な温度は、Ｓｉ／Ａｌ比を変更することにより調節可能である。
【実施例６】
【００７８】
図７は、本実施例に係る排気浄化装置３の一部を簡略化して示した図である。
【００７９】
本実施例では、触媒３２に吸蔵還元型ＮＯx触媒を採用している。そして、吸着剤３３
上に吸蔵剤３２３が担持されないようにしている。つまり、吸蔵剤３２３は、担体であるアルミナ３２１上に多く存在するようにする。例えば、排気浄化装置３の製造時に、最初に基材３１をアルミナ３２１のスラリーに浸し、その後に吸着剤３３のスラリーに浸す。この後に基材３１を、貴金属３２２の溶液および吸蔵剤３２３の溶液に浸す。このときの吸蔵剤３２３の溶液は、吸着剤３３の細孔径よりも十分に大きな例えば酢酸バリウム等の状態としておく。つまり、細孔内へ酢酸バリウムが進入することを抑制できる。そして、熱を加えて酢酸を除去すれば、略そのままの形でバリウムが固まる。このようにすることで、吸着剤３３上に吸蔵剤３２３が担持されることを抑制できる。
【００８０】
図８は、吸着剤３３上に吸蔵剤３２３が存在する場合の概略図である。
【００８１】
ここで、吸着剤３３は、ナノスケールの細孔３３１を有しており、該細孔３３１内に水の吸着点を有している。ここで、この細孔３３１の入り口を塞ぐようにして吸蔵剤３２３が担持されると、細孔３３１が閉塞することがある。これにより、水の吸着が阻害される虞がある。
【００８２】
これに対し、吸着剤３３上に吸蔵剤３２３が存在しないようにすると、吸着剤３３で水がより吸着されるようになるため、排気浄化装置３の温度がより上昇するようになる。つ
まり、速やかに排気浄化装置３の温度を上昇させることができる。
【実施例７】
【００８３】
図９は、本実施例に係る排気浄化装置３の一部を簡略化して示した図である。
【００８４】
本実施例では、触媒３２に吸蔵還元型ＮＯx触媒を採用している。また、基材３１は、
パティキュレートフィルタであり、触媒３２及び吸着剤３３は該パティキュレートフィルタに担持されている。
【００８５】
そして本実施例では、吸着剤３３が水を保持可能な上限温度が、排気浄化装置３の過熱する温度の下限値以下となるようにしている。排気浄化装置３の過熱とは、たとえば触媒３２の熱劣化が許容値以上となったり、またはパティキュレートフィルタが毀損したりすることをいう。
【００８６】
パティキュレートフィルタに捕集されているＰＭ等が酸化すると、排気浄化装置３の温度が上昇することにより、過熱する虞がある。このような虞のある温度に達したときに、吸着剤３３から水が脱離するように設定しておくと、水が脱離する際に排気浄化装置３から熱を奪うため、該排気浄化装置３の温度を下降させることができる。つまり、排気浄化装置３の過熱を抑制することができる。
【実施例８】
【００８７】
図１０は、本実施例に係る排気浄化装置３の一部を簡略化して示した図である。図１０（Ａ）は水が吸着されている場合を示し、図１０（Ｂ）は水が吸着されていない場合を示している。
【００８８】
本実施例では、触媒３２に選択還元型ＮＯx触媒を採用している。この選択還元型ＮＯx触媒は、ＮＯxを吸着することも、水を吸着することもできる。ＮＯx及び水は、同じ吸着点で吸着される。
【００８９】
そして本実施例では、選択還元型ＮＯx触媒が水を保持可能な上限温度が、該選択還元
型ＮＯx触媒の活性温度となるように設定しておく。なお、吸着剤３３（すなわち、選択
還元型ＮＯx触媒）が水を保持可能な温度は、Ｓｉ／Ａｌ比を変更することにより調節可
能である。このようにすることで、初めは水を吸着することにより排気浄化装置３の温度を上昇させるが、すぐに水が脱離するので、ＮＯxを吸着させることが可能となる。つま
り、選択還元型ＮＯx触媒が活性温度に達してＮＯxの浄化が可能となるのと同時にＮＯx
を吸着させる。このように選択還元型ＮＯx触媒の活性温度に達するまでは水を吸着させ
ることにより速やかに温度を上昇させ、活性温度に達した後はＮＯxを吸着させることが
できるので、ＮＯxが大気中へ放出されることを抑制できる。
【００９０】
なお、選択還元型ＮＯx触媒が水を保持可能な上限温度は、排気浄化装置３の温度をど
れ位上昇させるのか、及びＮＯxの排出をどれだけ抑える必要があるのかによって決定す
ることもできる。これは、排気浄化装置３の熱容量等にも関係するため、予め実験等により最適値を求めておいても良い。
【実施例９】
【００９１】
図１１は、本実施例に係る排気浄化装置３の一部を簡略化して示した図である。
【００９２】
本実施例では、吸着剤３３が触媒３２よりも上層に担持されている。例えば、最初に基材３１を触媒３２のスラリーに浸し、その後に吸着剤３３のスラリーに浸して排気浄化装置３を製造する。このようにすることで、吸着剤３３が上層に配置され、触媒３２が下層
に配置される。これにより、吸着剤３３のほうが触媒３２よりも排気と接触する確率が高くなる。すなわち、吸着剤３３は排気が流通する側（つまり、基材３１とは逆側）に配置されているので、多くの排気が吸着剤３３の周りを通過する。しかし触媒３２の周りに到達する排気は、吸着剤３３の間をすり抜けてくる排気である。そのため、触媒３２の周りでは排気の流速が遅くなるため、該触媒３２の周りを通過する排気の量は少ない。
【００９３】
つまり本実施例によれば、吸着剤３３と排気とが接触する確率をより高くすることができるため、排気中の水をより吸着することができる。これにより、排気浄化装置３の温度をより速やかに上昇させることができる。また、吸着剤３３からの伝熱により触媒３２の温度が上昇するため、該触媒３２の温度を活性温度の下限値まで速やかに上昇させることができる。
【実施例１０】
【００９４】
図１２は、本実施例に係る排気浄化装置３の一部を簡略化して示した図である。
【００９５】
本実施例では、触媒３２に吸蔵還元型ＮＯx触媒を採用している。また、吸着剤３３は
、アルミノシリケートである。そして、吸着剤３３よりも上層に触媒３２が存在している。例えば、最初に基材３１を吸着剤３３のスラリーに浸し、その後に触媒３２のスラリーに浸して排気浄化装置３を製造する。このようにすることで、吸着剤３３が下層に配置され、触媒３２が上層に配置される。これにより、吸着剤３３よりも触媒３２のほうが排気と接触する確率が高くなる。
【００９６】
ここで、アルミノシリケートは、水以外にもＨＣを吸着する。このＨＣは、吸蔵還元型ＮＯx触媒に還元剤として供給されることがある。しかし、ＨＣが吸着剤３３に吸着され
ると、吸蔵還元型ＮＯx触媒へ到達する還元剤量が減少してしまい、燃費の悪化やＮＯx浄化率の低下が起こり得る。
【００９７】
これに対し、吸着剤３３上に触媒３２が存在すれば、吸着剤３３にＨＣが吸着されることが抑制される。そして、吸蔵還元型ＮＯx触媒と排気との接触確率が高くなるため、該
吸蔵還元型ＮＯx触媒へより多くのＨＣを供給することができる。これにより、燃費の悪
化を抑制することができ、ＮＯx浄化率を向上させることができる。
【実施例１１】
【００９８】
図１３は、本実施例に係る排気浄化装置３の一部を簡略化して示した図である。
【００９９】
本実施例では、吸着剤３３の外表面上に触媒３２の一部である貴金属３２２（例えばＰｔ）を担持している。例えば、最初に基材３１を吸着剤３３のスラリーに浸し、その後に貴金属の溶液に浸して排気浄化装置３を製造する。ここで、吸着剤３３は一般に電気的に正（＋）の性質を有しており、アルミナ３２１は一般に電気的に中性の性質を有している。そこで、貴金属３２２に電気的にマイナス（−）の性質を持たせておけば、貴金属３２２が吸着剤３３に引き寄せられるので、該吸着剤３３上に貴金属３２２を担持させることができる。
【０１００】
このようにすることで、吸着剤３３に水が吸着されたときに発生する熱が、すぐに貴金属に伝わるため、該貴金属の温度を速やかに上昇させることができる。
【０１０１】
ここで、吸着剤３３として、Ｓｉ／Ａｌ比が５以下の比較的親水性の高いゼオライトを用いることで、貴金属３２２（例えば、Ｐｔ）を担持し易くなる。そして、例えばＰｔの薬液を、数十個のＰｔ原子で構成されたクラスターイオンとすることで、ゼオライトの細孔径よりも大きくする。これにより、Ｐｔがゼオライトの細孔内に担持されることを抑制
できる。このようにして、Ｐｔと排気との接触確率を高くすると共に、吸着剤３３の能力も向上させることができる。
【実施例１２】
【０１０２】
図１４は、本実施例に係る排気浄化装置３の概略構成を示した図である。
【０１０３】
本実施例では、吸着剤３３が排気浄化装置３の外周側にのみ担持されている。つまり、排気の流れの中心軸から離れた位置に吸着剤３３が担持されている。なお、触媒３２は、排気浄化装置３の全体に担持されている。
【０１０４】
そして、排気浄化装置３の中心軸側から外周側へ向かって徐々に（無段階に）吸着剤３３の量を多くしても良く、段階的に多くしても良い。さらに、排気浄化装置３を中心軸側と外周側との２つに分けて、中心軸側よりも外周側のほうの吸着剤３３の量をより多くしても良い。
【０１０５】
このようにすることで、排気の流れの中心軸付近では、ゼオライトにＨＣを吸着されることがないため、触媒３２へＨＣを多く供給することができる。また、冷間始動時には、外周側の吸着剤３３で発生した熱が中心軸側へ伝わるため、排気浄化装置３全体の温度を上昇させることができる。
【０１０６】
吸着剤３３を担持させる位置は、触媒３２へのＨＣの供給と、排気浄化装置３の昇温とを考慮して決定する。これには、排気浄化装置３の熱容量等も関係する。これらを考慮して実験等により最適値を求めても良い。
【実施例１３】
【０１０７】
図１５は、本実施例に係る排気浄化装置３の概略構成を示した図である。
【０１０８】
本実施例では、基材３１の少なくとも一部が吸着剤３３の機能を有している。そして、この基材３１に触媒３２が担持されている。なお、吸着剤３３を担持していても良い。これにより、基材３１から熱が発生するため、触媒３２の温度を速やかに上昇させることができる。
【図面の簡単な説明】
【０１０９】
【図１】実施例に係る内燃機関の排気浄化装置を適用する内燃機関とその排気系の概略構成を示す図である。
【図２】実施例１に係る排気浄化装置の一部を簡略化して示した図である。
【図３】実施例２に係る排気浄化装置の一部を簡略化して示した図である。図３（Ａ）は排気浄化装置の上流側（すなわち内燃機関側）を示し、図３（Ｂ）は図３（Ａ）よりも下流側を示している。
【図４】実施例３に係る排気浄化装置の一部を簡略化して示した図である。図４（Ａ）は排気浄化装置の上流側（すなわち内燃機関側）を示し、図４（Ｂ）は図４（Ａ）よりも下流側を示している。
【図５】実施例４に係る内燃機関の排気浄化装置を適用する内燃機関とその排気系の概略構成を示す図である。
【図６】実施例５に係る排気浄化装置の一部を簡略化して示した図である。図６（Ａ）は水の吸着時を示し、図６（Ｂ）は水の脱離時を示している。
【図７】実施例６に係る排気浄化装置の一部を簡略化して示した図である。
【図８】吸着剤上に吸蔵還元型ＮＯx触媒が存在する場合の概略図である。
【図９】実施例７に係る排気浄化装置の一部を簡略化して示した図である。
【図１０】実施例８に係る排気浄化装置の一部を簡略化して示した図である。図１０（Ａ）は水が吸着されている場合を示し、図１０（Ｂ）は水が吸着されていない場合を示している。
【図１１】実施例９に係る排気浄化装置の一部を簡略化して示した図である。
【図１２】実施例１０に係る排気浄化装置の一部を簡略化して示した図である。
【図１３】実施例１１に係る排気浄化装置の一部を簡略化して示した図である。
【図１４】実施例１２に係る排気浄化装置の概略構成を示した図である。
【図１５】実施例１３に係る排気浄化装置の概略構成を示した図である。
【符号の説明】
【０１１０】
１     内燃機関
２     排気通路
３     排気浄化装置
３１   基材
３２   触媒
３３   吸着剤
【図１】
2009274003.tif 000003
【図２】
2009274003.tif 000004
【図３】
2009274003.tif 000005
【図４】
2009274003.tif 000006
【図５】
2009274003.tif 000007
【図６】
2009274003.tif 000008
【図７】
2009274003.tif 000009
【図８】
2009274003.tif 000010
【図９】
2009274003.tif 000011
【図１０】
2009274003.tif 000012
【図１１】
2009274003.tif 000013
【図１２】
2009274003.tif 000014
【図１３】
2009274003.tif 000015
【図１４】
2009274003.tif 000016
【図１５】
2009274003.tif 000017